(57)【特許請求の範囲】
【請求項１】
畝の間を走行する車輪と畝上を転動する後輪とを備え、車輪を駆動する原動機を配置した駆動機構部を備えた耕運機と、
この耕運機の前記駆動機構部の後方に延設した支持杆と、
前記駆動機構に連結して減速機構を介して連動され、畝面から所定距離隔てた位置に配設し、進行方向にほぼ直交し、畝面に平行に配置し左右に延長して設けられやや上下に配置した少なくとも一対からなり前記支持杆に軸設してある軸と、
これら各軸に固着され、相互の対向面において残株を挟持して引き抜く作用が付与されている一対のローラおよび/または羽根車とからなる株抜取部材と、
この株抜取部材を軸支した前記支持杆の高さ位置を調節して前記株抜取部材と畝面との距離を調節する高さ調節機構と、
を備え、前記耕運機を進行させながら、畝面上に突出している残株を前記株抜取部材の横方向に延設した軸に固着した相互に逆回転する一対のローラおよび/または羽根車によって挟持し、この挟持した残株を回転方向に土中から引き抜きながら放り投げるようにしたことを特徴とする残株抜き取り装置。
【請求項２】
機体後方に設けた一対のローラおよび/または羽根車からなる前記株抜取部材の前方側に土壌中の根株を切断するレーキーを機体の下部に配設してあることを特徴とする請求項１に記載の残株抜き取り装置。
【請求項３】
機体の後方に設けた前記支持杆に軸設した前記株抜取部材の一対のローラおよび/または羽根車の表面において多数の細かい突起、又は軸の長手方向に沿って平行な条溝を設け、抵抗力を増大する表面加工処理が施されていることを特徴とする請求項１または請求項２に記載の残株抜き取り装置。
【請求項４】
前記株抜取部材の近傍に畝面に敷設したフィルムの回転機構への巻き込み防止部材を配設したことを特徴とする請求項１乃至請求項３に記載のいずれか１つの残株抜き取り装置。
【発明の詳細な説明】
【０００１】
【発明の属する技術分野】
この発明は、耕地に畝を形成し、畝に育成した果実などを採取した後耕地に残った幹や株を除去する残抜き取り装置に関する。
【０００２】
【従来の技術】
畝に栽培育成した株を畝から掘り起こして抜き取る作業は一本一本抜き取り廃棄していた。また、これら株の根が土に触れていると再び育成することがあり，根株を抜き取り反転させるか、土表面に敷設してある保温用フィルム上に引き抜く必要があった。これらの手作業は大変であり、古くから根株や雑草を機械的に抜き取る装置等が開発されている。
【０００３】
例えば、特開昭５９−１１８００５号公報に記載されるものは煙草の株の抜取装置で、耕運機の前方に原動機の駆動装置に連動する回転装置を配置し、この回転装置に連動し、土中にて回転する二種類の耕運爪によって根を切断すると共に畝の土壌を掘り起こして幹を抜き取り、地上に放置するものである。
【０００４】
また、特開平２０００−４６０３号公報に記載されるものは、苺等の畝残幹堀取り装置で、耕運機などの原動機を塔載した機体に畝中の苺などの残幹を切断・堀取り装置を設け、この堀取り装置として土壌中で前後に振動するブレードと上下に振動するフォーク状振動体を配設したもので、根を切断した後残幹などを畝面上にそのままにするものである。
【０００５】
【発明が解決しようとする課題】
土中にて根切り及び土篩いを行なっても掘り起こした株の根が土壌に接触することになり、再び根が出ることになった。特に、苺の根の場合は蔓が伸びて土に触れると根を張りどんどん伸びるおそれがある。
昨今は畝面に保温用のフィルム（ビニールシートなど）を敷設して畝面を覆っている。そのため前記特開昭５９−１１８００５号公報や特開平２０００−４６０３号公報のような畝上で回転体を回転させることは敷設した前述のような保温用フィルムが回転体に絡まり、回転不能になったり、また、土壌中で残幹の根切りや土ふるいした残幹を畝面に残した状態では土に根が接触して芽がでることがあった。
この発明の課題は、従来の簡易な耕運機を利用して確実に効率よく根株を抜き取ることができる残株抜き取り装置を提供するものである。また、この発明の他の課題は、確実に残幹を挟持して土壌中より抜き取り、畝面のフィルム面上に載置することができる残株抜き取り装置を提供するものである。
更に、敷きつめたフィルムを巻き込むことなく、土壌中から残り株を抜取ることが出来る残り株抜き取り装置を提供するものである。
【０００６】
【課題を解決するための手段】
以上の発明の課題を達成するために、畝の間を走行する車輪と畝上を転動する後輪とを備え、車輪を駆動する原動機を配置した駆動機構部を備えた耕運機と、この耕運機の前記駆動機構部の後方に延設した支持杆と、前記駆動機構に連結して減速機構を介して連動され、畝面から所定距離隔てた位置に配設し、進行方向にほぼ直交し、畝面に平行に配置し左右に延長して設けられやや上下に配置した少なくとも一対からなり前記支持杆に軸設してある軸と、これら各軸に固着され、相互の対向面において残株を挟持して引き抜く作用が付与されている一対のローラおよび/または羽根車とからなる株抜取部材と、この株抜取部材を軸支した前記支持杆の高さ位置を調節して前記株抜取部材と畝面との距離を調節する高さ調節機構と、を備え、前記耕運機を進行させながら、畝面上に突出している残株を前記株抜取部材の横方向に延設した軸に固着した相互に逆回転する一対のローラおよび/または羽根車によって挟持し、この挟持した残株を回転方向に土中から引き抜きながら放り投げるようにしたことを特徴とするようにした残株抜き取り装置の構成である。
【０００７】
また、この発明の前記課題は、請求項１に記載の残株抜き取り装置機において、機体後方に設けた一対のローラおよび/または羽根車からなる前記株抜取部材の前方側に土壌中の根株を切断するレーキーを機体の下部に配設してある構成及び機体の後方に設けた前記支持杆に軸設した前記株抜取部材の一対のローラおよび/または羽根車の表面において多数の細かい突起、又は軸の長手方向に沿って平行な条溝を設け、抵抗力を増大する表面加工処理が施されている構成によって達成できる。
【０００８】
更に前記課題は、前記株抜取部材の近傍に畝面に敷設したフィルムの株抜取部材の回転機構への巻き込み防止部材を配設したことを特徴とする構成によって達成できる。
【０００９】
この発明の残株抜き取り装置は、機体の後方に延設して配置する支持杆に軸設した一対の株抜取部材によって株を確実に土中より抜き取ることができる。しかも両側の畝上の残株を抜き取ることが出来るので作業効率に優れ、相互に対向した一対のローラおよび羽根車を逆転して残幹を挟みながら土中より抜き取りフィルム上に引き抜くことができるので抜き取った残株の根が土に接触しないなどの効果がある。
畝面上に敷設したフィルムなどの株抜取部材への巻き込みは巻き込み防止機構によって防止することが出来る。
【００１０】
この発明の残株抜き取り装置は株抜取部材の進行方向の前方に土壌中で根切りを行なう根切り部材を配置してあるので株の抜き取り作業が確実に行うことができる。また、畝上面を所定間隔で走行する株抜取部材の高さの調節が簡易にできるので残株の取りこぼしを防止でき、更に、この株抜取部材の咥え込み角度を調節できるから走行中に監視しながら調節して確実に残株を掘り起こすことができる。
【００１１】
この発明の残株抜き取り装置は、咥え込む一対のローラまたは羽根車の表面に多くの突起を植設したり、または条溝を穿ってあるので残株を咥え込む際の抵抗力を増大させることにより確実に挟持することができる。
【００１２】
この発明の残幹処理部は、特開平２０００−４６０３号公報に記載されるような振動するブレードと上下振動するフォーク状体とで形成されているものでも良い。
【００１３】
【発明の実施の形態】
以下、この発明に係る残株抜き取り装置の実施の形態について図面を参照して説明する。
図１は第１の実施態様の株抜取部材として羽根車を使用した第１の実施態様を示す側面図である。図２は株抜取部材として一対のローラを使用した第２の実施態様を示す側面図である。図３は第３の実施態様を示す側面図である。図４は図３の第３の実施態様を示す斜視図である。図５はこの発明の残株抜き取り装置の作業を説明する説明図である。
【００１４】
図６は第２の実施態様の駆動部を説明する要部拡大図である。図７はこの発明残株抜き取り装置の第３の実施態様の要部拡大図である。図８は図７の歯車の連動機構を説明する要部拡大図である。
【００１５】
この発明の残株抜き取り装置について図面に示す実施態様に基づいて説明する。
第１の実施態様について説明する。
前方に錘Ｗを載置した耕運機（管理機）の機体１の左右の駆動車輪２，２を畝の間で走行するように配置し、この駆動車輪２，２の上に原動機３を載置し、この原動機３の後方に畝上面を転動する遊車４，４を左右に配置してある。この後方に配置した残幹処理部５に、畝の土中に進行して土壌中の残幹の根を切る根切り部材６，６があり、この後側に根切りされた残株を土の中から掘り出し、根に付着した土を振るい落とすフォーク状の土ふるい部材７，７が取り付けられている。この土ふるい部材７および根切り部材６は間歇的に揺動するようになっている。この残幹処理部５には後輪８、８が支持されている。この残幹処理部５に連結して後方に株抜取駆動部９を配置し、この株抜取駆動部９は原動機３からＶベルト１０により連動している。この第１の実施態様の羽根車１４は平板で形成されていてもよいが、平板の表面に摩擦を増大するために表面を凹凸に形成しても良い。例えば、凹凸のあるゴム板を貼り付けてもよい。
【００１６】
この株抜取駆動部９から支持杆１２が延設され、この先端に軸支して株抜取部材１３が配設してある。この株抜取部材１３は、一対の羽根車１４，１４で形成され、相互に反対方向に回転するように歯車１４ａ，１４ｂが連結配置してあり、この歯車１４ａは株抜き取り駆動部９の歯車９ａとチェーン１５で連動してある。この支持杆１２には高さ調節機構１６が接続してあり、この株抜取部材１３の高さが調節できるようになっている。この高さ調節機構１６は株抜取駆動部９に軸支したハンドル１７によって調節できる。
【００１７】
図２に示す第２の実施態様は支持杆１２の端部に軸支した前記一対の羽根車１４，１４に代えてローラ１８，１８を軸設したもので、個々のローラ１８，１８の逆転機構１９に株抜取駆動部９の歯車にチェーン２０，２０を介して連動してある。このローラ１８，１８が相互に反対方向に回転して残幹を咥え込むようになっている。このローラ１８とローラ１８とが圧接するように収縮ばね１８ａが帳架してある。このローラ１８の表面に突起を植立して抵抗力を増大するようにしてもよい。図面ではローラ１８の表面に凹凸溝を有するゴム管１８ｂを被覆してある。また、長手方向の条溝を多数穿って形成して咥え込み力を増大してもよい。このローラ１８の下側には畝面に敷かれているフィルムがローラ１８，１８に絡みつくのを防止する巻き込み防止機構２３を取り付ける取付部材２１が末端に設けられている。
【００１８】
図３に示す第３の実施態様は、残幹処理部５の後方に延設した支持杆１２に、第１の実施態様の株抜取部材１３の一対の羽根車１４，１４と一対のローラ１８，１８とを連結したものである。これら羽根車１４，１４とローラ１８，１８の両端の回転軸のうち３個は支持杆１２に固着したフレーム２２に軸支されており、このフレーム２２の傾斜角は調節ボルト２４によって調節できるようになっている（図８の矢印方向）。この角度によって残幹の咥えこみ角度が調節できる。これら羽根車１４とローラ１８とはチェーン２５によって連動してある。これらの株抜取部材１３の下方にフィルム巻き込み防止機構２３が配置し、フレーム２２の下端の取付孔２６に取り付けられる。この巻き込み防止機構２３の下側にフィルム面を走行する滑板２３ａが取り付けられ、該滑板２３ａの先端は上側に反って形成してあり、Ｖ字形の切れ込みを入れてある。
【００１９】
この発明の残株抜き取り装置の動作を説明する。
図１の第１の実施態様において、片側の畝について説明する。
イチゴなどの果実を採取した後の畝と畝との間に車輪２，２を入れて機体１を配置する。原動機３等の駆動部の後方に配置した残幹処理部５の下端に取り付けた根切り部材６を土壌中に配置して駆動部を始動させる。車輪２，２の牽引によって進行し、株抜取部材１３の高さはハンドル１７によって高さ調節機構１６を操作して所定に高さに設定する。機体が走行すると土壌中において根切り部材６によって残幹の根が切断され、この残幹は土ふるい部材７上に載せられて土が振るい落とされる。
【００２０】
根切り部材６及び土ふるい部材７で処理された残幹の側端部分が羽根車１４，１４によって咥え込まれて後方に落とされる（図５参照）。この羽根車１４の表面が凹凸に形成されているときは確実に残株を引き抜くことができる。図５の２点鎖線は畝の上面を示し、この上に保温用のフィルムが敷設されている。
同様にして図２の第２の実施態様においても作業が行なわれる。
この第２の実施態様においては株抜取部材１３のローラ１８、１８は個々に支持杆１２，１２に軸支されている実施例である。株抜取駆動部９の減速歯車群１１にそれぞれのローラ１８，１８はチェーン１２によって連動してある。これらローラ１８，１８が圧接するように支持杆１２と支持杆１２との間に収縮ばね１８ａが張架してある。このローラ１８の表面に突起が配列したゴム管１８ｂはを設けた場合は抵抗力が増大して確実に残株を挟み咥え込むことができる。
【００２１】
図３、図４に示すこの発明の第３の実施態様について説明する。
株抜取駆動部９に設けた支持杆１２の先端部分に株抜取部材１３を配置する。この株抜取部材１３として羽根車１４，１４とローラ１８とをフレーム２２に軸支し、上段のローラ１８は別に設けた枠体に軸支し、上段の羽根車１４の歯車１４ａとチェーン２０によって連結し、この枠とフレーム２２との間に収縮ばね１８ａが張架してある。これによってローラ１８とローラ１８とは圧接するようになっている。羽根車１４とローラ１８とはチェーン２５によって連動してある。
【００２２】
この第３の実施態様によれば羽根車１４，１４の角度は調節ボルト２４によって調節できる。この下側に滑板２３ａを有する巻き込み防止機構２３が取付孔２６に取り付けられている。この巻き込み防止機構２３が滑板２３ａを有するので滑り良くフィルム面上を押さえながら株抜取部材１３が進行する。土壌中の残幹は土ふるい部材７上に押し上げられ、羽根車１４，１４によって咥え込まれ、株抜取部材１３によって抜き取られた残株の浮き上がりに乗じてフィルムの浮き上がりをこの滑板２３ａによって防止することができ、フィルムの回転軸への巻き込みを防止することができる。この滑板２３ａに代えてパイプを羽根車１４の軸方向に平行に延設してもよく、棒状体を突き出すように配置しても良い。
【００２３】
【発明の効果】
この発明に係る残株抜き取り装置は、耕運機（管理機）を使用して簡易に取り付けることができる。しかも一対の羽根車またはローラを相互に逆転する方向に回転させてあるから、残幹などを確実に咥え込むことができる上、残株を引き抜きフィルム上に載置することができるので残株の根っこなどが土に接触することがないから残幹が再び成育するおそれはない。
【図面の簡単な説明】
【図１】第１の実施態様の株抜取部材として羽根車を使用した第１の実施態様を示す側面図である。
【図２】株抜取部材として一対のローラを使用した第２の実施態様を示す側面図である。
【図３】第３の実施態様を示す側面図である。
【図４】図３の第３の実施態様を示す斜視図である。
【図５】この発明の残株抜き取り装置の作業を説明する説明図である。
【図６】第２の実施態様の駆動部を説明する要部拡大図である。
【図７】この発明の残株抜き取り装置の第３の実施態様の要部拡大図である。
【図８】図７の歯車の連動機構を説明する要部拡大図である。
【符号の説明】
Ｗ      錘
１        機体
２        車輪
３        原動機
４        遊車
５        残幹処理部
６        根切り部材
７        土ふるい部材
８        後輪
９        残株抜取駆動部
１０        チェーン
１１        減速歯車群
１２        支持杆
１３        株抜取部材
１４        羽根車
１５        チェーン
１６        高さ調節機構
１７        ハンドル
１８        ローラ
１９        歯車
２０        チェーン
２１        巻き込み防止部
２２          フレーム
２３          巻き込み防止機構
【図１】
0003622786.tif 000002
【図２】
0003622786.tif 000003
【図３】
0003622786.tif 000004
【図４】
0003622786.tif 000005
【図５】
0003622786.tif 000006
【図６】
0003622786.tif 000007
【図７】
0003622786.tif 000008
【図８】
0003622786.tif 000009